(57)【要約】【課題】  表示パネルのロウラインやカラムラインの抵抗等の相違による輝度の不均一を補正し、むらのない表示が可能な表示パネル駆動回路と駆動方法を提供する。【解決手段】  同一輝度レベルの画像データを与えたときに、平均的な輝度を出力する発光素子ＥＬを基準として、輝度の異なる発光素子に対しては駆動時間を増減して同じ輝度となるような補正データを設定し、予め画素表示補正データ格納部５０に格納しておく。フレームメモリ４０に格納された１ライン分の実際の画像データと、画素表示補正データ格納部５０に格納された対応する１ライン分の補正データを読み出し、タイミング生成部６０で画素毎に加算し、加算結果によるパルス幅変調信号を制御信号として、カラムドライバ１０の各駆動スイッチ１２ｉのオン／オフを制御する。【選択図】      図１
2006047510.tif 000002
【特許請求の範囲】
【請求項１】
平行配置された複数の表示電極と、該表示電極に交差して平行配置された複数の走査電極と、これらの表示電極と走査電極の交差箇所に設けられた複数の表示素子とを有する表示パネルを駆動する表示パネル駆動回路であって、
前記複数の表示素子毎に輝度の相違を補正するための補正データを格納した補正データ格納手段と、
前記表示素子に表示させる表示データを前記補正データ格納部に格納された該当する補正データで補正して駆動用の制御信号を生成する補正手段と、
前記補正手段で生成された制御信号に従って前記表示電極を駆動する駆動手段とを、
備えたことを特徴とする表示パネル駆動回路。
【請求項２】
平行配置された複数の表示電極と、該表示電極に交差して平行配置された複数の走査電極と、これらの表示電極と走査電極の交差箇所に設けられた複数の表示素子とを有する表示パネルを駆動する表示パネル駆動回路であって、
前記複数の表示電極毎に輝度の相違を補正するための補正データを格納した補正データ格納手段と、
前記表示電極に対応する表示素子に表示させる表示データを前記補正データ格納部に格納された該当する補正データで補正して駆動用の制御信号を生成する補正手段と、
前記補正手段で生成された制御信号に従って前記表示電極を駆動する駆動手段とを、
備えたことを特徴とする表示パネル駆動回路。
【請求項３】
平行配置された複数の表示電極と、該表示電極に交差して平行配置された複数の走査電極と、これらの表示電極と走査電極の交差箇所に設けられた複数の表示素子とを有する表示パネルを駆動する表示パネル駆動回路であって、
前記複数の走査電極毎に輝度の相違を補正するための補正データを格納した補正データ格納手段と、
前記補正データ格納部に格納された補正データに従って前記走査電極を駆動する駆動手段とを、
備えたことを特徴とする表示パネル駆動回路。
【請求項４】
前記補正データは、駆動時間、駆動電圧または駆動電流を補正するデータであることを特徴とする請求項１、２または３記載の表示パネル駆動回路。
【請求項５】
平行配置された複数の表示電極と、該表示電極に交差して平行配置された複数の走査電極と、これらの表示電極と走査電極の交差箇所に設けられた複数の表示素子とを有する表示パネルを駆動する表示パネル駆動回路であって、
前記複数の表示電極毎に輝度の相違を補正するための第１の補正データを格納した第１の補正データ格納手段と、
前記複数の走査電極毎に輝度の相違を補正するための第２の補正データを格納した第２の補正データ格納手段と、
前記表示電極に接続された表示素子に表示させる表示データを前記第１の補正データ格納部に格納された該当する第１の補正データで補正して駆動用の制御信号を生成する補正手段と、
前記補正手段で生成された制御信号に従って前記表示電極を駆動する第１の駆動手段と、
前記第２の補正データ格納部に格納された第２の補正データに従って前記走査電極を駆動する第２の駆動手段とを、
備えたことを特徴とする表示パネル駆動回路。
【請求項６】
前記第１の補正データは、駆動時間、駆動電圧または駆動電流を補正するデータであり、前記第２の補正データは、駆動時間または駆動電圧を補正するデータであることを特徴とする請求項５記載の表示パネル駆動回路。
【請求項７】
平行配置された複数の表示電極と、該表示電極に交差して平行配置された複数の走査電極と、これらの表示電極と走査電極の交差箇所に設けられた複数の表示素子とを有する表示パネルの駆動方法であって、
前記複数の表示素子毎に輝度の相違を補正するための補正データを予め生成して補正データ格納手段に格納する処理と、
前記表示素子に表示させる表示データを前記補正データ格納部に格納された該当する補正データで補正して駆動用の制御信号を生成する処理と、
前記駆動用の制御信号に従って前記表示電極を駆動する処理とを、
行うことを特徴とする駆動方法。
【請求項８】
平行配置された複数の表示電極と、該表示電極に交差して平行配置された複数の走査電極と、これらの表示電極と走査電極の交差箇所に設けられた複数の表示素子とを有する表示パネルの駆動方法であって、
前記複数の表示電極毎に輝度の相違を補正するための補正データを予め生成して補正データ格納手段に格納する処理と、
前記表示電極に対応する表示素子に表示させる表示データを前記補正データ格納部に格納された該当する補正データで補正して駆動用の制御信号を生成する処理と、
前記駆動用の制御信号に従って前記表示電極を駆動する処理とを、
行うことを特徴とする駆動方法。
【請求項９】
平行配置された複数の表示電極と、該表示電極に交差して平行配置された複数の走査電極と、これらの表示電極と走査電極の交差箇所に設けられた複数の表示素子とを有する表示パネルの駆動方法であって、
前記複数の走査電極毎に輝度の相違を補正するための補正データを予め生成して補正データ格納手段に格納する処理と、
前記補正データ格納部に格納された補正データに従って前記走査電極を駆動する処理とを、
行うことを特徴とする駆動方法。
【請求項１０】
平行配置された複数の表示電極と、該表示電極に交差して平行配置された複数の走査電極と、これらの表示電極と走査電極の交差箇所に設けられた複数の表示素子とを有する表示パネルの駆動方法であって、
前記複数の表示電極毎に輝度の相違を補正するための第１の補正データを予め生成して第１の補正データ格納手段に格納する処理と、
前記複数の走査電極毎に輝度の相違を補正するための第２の補正データを予め生成して第２の補正データ格納手段に格納する処理と、
前記表示電極に接続された表示素子に表示させる表示データを前記第１の補正データ格納部に格納された該当する第１の補正データで補正して駆動用の制御信号を生成する処理と、
前記駆動用の制御信号に従って前記表示電極を駆動する処理と、
前記第２の補正データ格納部に格納された第２の補正データに従って前記走査電極を駆動する処理とを、
行うことを特徴とする駆動方法。
【発明の詳細な説明】
【技術分野】
【０００１】
本発明は、液晶ディスプレイや有機ＥＬ（Electronic Luminescence)パネル等の表示パネルを駆動する表示パネル駆動回路と駆動方法に関するものである。
【背景技術】
【０００２】
【特許文献１】特開２００４−４５７０２号公報
【０００３】
上記特許文献１には、液晶表示パネルの色再現特性に応じて入力画像信号の階調特性の補正を行うと共に、光学応答特性を補償して画像の再現性を向上させることを目的とした液晶表示装置の提案がなされている。この液晶表示装置では、画像を表示するための液晶表示パネルと、入力画像信号の１垂直期間前後における階調遷移の組み合わせに応じて、この液晶表示パネルに対する書き込み階調を決定する書込階調決定手段を備えており、更に、この書込階調決定手段が液晶表示パネルの色再現特性及び光学応答特性を補償するためのパラメータを記憶した参照テーブルを有している。
【０００４】
参照テーブルは、入力画像信号の階調遷移に伴う液晶表示パネルの光学応答特性を補償するためのオーバーシュート駆動量に、この液晶表示パネルの色再現特性に対応した階調補正量を加えたパラメータを格納したものである。
【０００５】
書込階調決定手段では、現フレームの入力画像信号と１フレーム前の画像データから、参照テーブルを参照して書き込み階調を決定し、その書き込み階調を液晶パネルに供給するようにしている。これにより、非常に簡単な回路で、液晶パネルの色再現特性に応じて高精度な画像の色再現が実現すると共に、光学応答特性を補償して残像の発生を抑え、中間調を正しく表示することが可能であるとされている。
【発明の開示】
【発明が解決しようとする課題】
【０００６】
しかしながら、前記液晶表示装置では、液晶パネルの色再現特性や光学応答特性の補償はできても、表示パネルの表示面積の大型化に伴ってロウライン（走査電極）やカラムライン（表示電極）の抵抗や静電容量が増加し、各ラインの位置関係による応答時間の相違のため、輝度の不均一性を解決することはできなかった。
【０００７】
即ち、ロウラインとカラムラインの交差箇所に配置された各表示素子は、これらのロウラインとカラムライン間に印加される信号によって駆動されるが、表示面積が大きくなると、表示素子の位置によってロウラインとカラムラインの長さの相違が顕著になってくる。また、画素密度が高くなるに従い、ロウラインやカラムラインはより細く形成されるので、その電気抵抗が大きくなる。更に、１本のラインに接続される表示素子の数が多くなるに従い、その表示素子による静電容量も増加する。従って、同一の駆動信号で駆動しても、表示素子の位置によって駆動するロウラインとカラムラインの電気抵抗と静電容量が異なるので、同一の輝度を得ることができなかった。また、カラー表示の場合、Ｒ，Ｇ，Ｂの３原色の輝度の不均一性による色再現特性の劣化を解決することができなかった。
【０００８】
本発明は、表示パネルの表示素子の位置の相違に起因するロウラインやカラムラインの電気抵抗や静電容量のばらつきによる輝度の不均一性を補正し、むらのない表示を行うことができる表示パネル駆動回路と駆動方法を提供することを目的としている。
【課題を解決するための手段】
【０００９】
本発明の表示パネル駆動回路は、平行配置された複数の表示電極と、該表示電極に交差して平行配置された複数の走査電極と、これらの表示電極と走査電極の交差箇所に設けられた複数の表示素子とを有する表示パネルを駆動する表示パネル駆動回路において、前記複数の表示素子毎に輝度の相違を補正するための補正データを格納した補正データ格納手段と、前記表示素子に表示させる表示データを前記補正データ格納部に格納された該当する補正データで補正して駆動用の制御信号を生成する補正手段と、前記補正手段で生成された制御信号に従って前記表示電極を駆動する駆動手段とを備えたことを特徴としている。
また、本発明の表示パネルの駆動方法は、複数の表示素子毎に輝度の相違を補正するための補正データを予め生成して補正データ格納手段に格納する処理と、表示素子に表示させる表示データを補正データ格納部に格納された該当する補正データで補正して駆動用の制御信号を生成する処理と、駆動用の制御信号に従って表示電極を駆動する処理とを行うことを特徴としている。
【発明の効果】
【００１０】
本発明では、表示パネルの表示素子毎に輝度の相違を補正するための補正データによって表示データを補正し、その補正された表示データに基づいて駆動用の制御信号を生成し、表示電極を駆動するようにしている。これにより、表示パネルの表示電極や走査電極の抵抗や静電容量の相違による輝度の不均一が補正され、むらのない表示を行うことができるという効果がある。
【発明を実施するための最良の形態】
【００１１】
例えば、表示電極にパルス幅変調した駆動電圧を印加して駆動時間に応じた輝度を発生させる表示方式の場合、各表示素子の平均輝度を基準として、この平均輝度よりも輝度の小さな表示素子には駆動時間を延長させ、輝度の大きな表示素子には駆動時間を短縮させることにより、平均輝度が得られるような値を、補正データとして表示素子毎に設定する。そして、実際の表示データを表示するときには、表示素子毎の表示データに対応する補正データを加算し、その加算結果に従ったパルス幅のパルス信号を駆動用の制御信号とする。
【実施例１】
【００１２】
図１は、本発明の実施例１を示す表示パネル駆動回路の構成図である。
この表示パネル駆動回路は、表示パネル１を駆動するためのカラムドライバ１０とロウドライバ２０を有している。表示パネル１は、例えば、有機ＥＬパネルで、一定間隔で平行に配置されたカラムラインＣＬｉ（ｉ＝１〜ｎ）と、これらのカラムラインＣＬｉに直交して一定間隔で平行に配置されたロウラインＲＬｊ（ｊ＝１〜ｍ）を備えている。カラムラインＣＬｉとロウラインＲＬｊの各交差箇所には、発光素子ＥＬi,j が設けられている。
【００１３】
なお、回路素子ではないが、各カラムラインＣＬｉ及びロウラインＲＬｊには、その配線に伴う分布抵抗成分が必然的に存在する。また、平行するカラムラインＣＬｉ間、ロウラインＲＬｊ間、交差するカラムラインＣＬｉとロウラインＲＬｊの間、及び各交差箇所に設けられた発光素子ＥＬi,j 等による静電容量が必然的に存在する。これらの分布抵抗成分や静電容量は、カラムドライバ１０やロウドライバ２０から離れた位置にある発光素子ＥＬi,j ほど、受ける影響が大きくなる。
【００１４】
この表示パネル１は、ロウラインＲＬｊが接地電位ＧＮＤに接続されたときに、カラムラインＣＬｉから供給される駆動電流によって各交差箇所に設けられた発光素子ＥＬi,j が駆動され、駆動電流の大きさ或いは駆動電流が供給されている時間に応じた輝度の光を発生するものである。
【００１５】
カラムドライバ１０は、カラムラインＬＣｉ毎に設けられた定電流源１１ｉとスイッチ１２ｉで構成され、これらのスイッチ１２ｉが、各発光素子ＥＬi,j の輝度に応じたパルス幅の制御信号に従ってオン／オフされるようになっている。
【００１６】
ロウドライバ２０は、ロウラインＲＬｊを図の上方から下方へ１ラインずつ順次、接地電位ＧＮＤに接続することによって、このロウラインＲＬｊを走査して駆動するものである。ロウドライバ２０は、制御信号に応じて各ロウラインＲＬｊと接地電位ＧＮＤの間をオン／オフする複数のスイッチ２１ｊで構成されている。
【００１７】
更に、この表示パネル駆動回路は、表示用の映像信号ＶＤが与えられる入力部３０、画像データを記憶するフレームメモリ４０、表示パネル１の輝度むらを画素毎に補正するための補正データが格納された画素表示補正データ格納部５０、画像データを補正してカラムドライバ１０に対する制御信号を生成するタイミング生成部６０、ロウドライバ２０に対する制御信号を生成するタイミング生成部７０、及び全体の制御を行う制御部８０を有している。
【００１８】
入力部３０は、表示用の映像信号ＶＤが制御信号ＣＮと共に与えられるもので、この入力部３０に入力された映像信号ＶＤはフレームメモリ４０に与えられ、検出されたタイミング信号ＴＭは制御部８０に与えられる。フレームメモリ４０は、１フレーム分の画像データを記憶するもので、入力部３０から与えられる映像信号ＶＤを、制御部８０から与えられる書き込み制御信号ＷＥに従って格納する。また、フレームメモリ４０は、制御部８０から与えられる読み出し制御信号ＲＥに従い、画像データをロウラインＲＬｊに対応する１ライン単位で読み出してタイミング生成部６０に出力するようになっている。
【００１９】
画素表示補正データ格納部５０は、ＲＯＭ（読出専用メモリ）等で構成され、表示パネル１の各発光素子ＥＬi,j の輝度を、この発光素子ＥＬi,j 毎に補正するための補正データを格納したものである。補正データは、各発光素子の平均輝度を基準として、平均輝度よりも輝度の小さな発光素子には発光時間を延長させ、輝度の大きな発光素子には発光時間を短縮させることにより、平均輝度が得られるような値を設定したものである。従って、平均輝度の発光素子の補正データは０であり、輝度の大きな発光素子の補正データはマイナスの値となり、輝度の小さな発光素子の補正データはプラスの値となる。
【００２０】
画素表示補正データ格納部５０の補正データは、制御部８０から与えられる読み出し制御信号ＲＥに従い、フレームメモリ４０内から読み出される１ライン分の画像データに対応して、１ライン単位で読み出されてタイミング生成部６０に与えられるようになっている。
【００２１】
タイミング生成部６０は、制御部８０から与えられるタイミング信号ＴＣに従い、画素表示補正データ格納部５０から出力された１ライン分の補正データを用いて、フレームメモリ４０から読み出された１ライン分の画像データを画素毎に補正するものである。タイミング生成部６０は、カラムラインＣＬｉ毎に設けられて画像データに補正データを加算する加算器６１と、加算器６１の加算結果に応じたパルス幅の制御信号を生成するパルス幅変調器（ＰＷＭ）６２とで構成されている。パルス幅変調器６２で生成されたカラムライン毎の制御信号は、カラムドライバ１０の各スイッチ１２ｉに与えられるようになっている。
【００２２】
一方、タイミング生成部７０は、制御部８０から与えられるタイミング信号ＴＲに従って、ロウドライバ２０の各スイッチ２１ｊを順番に１つずつ接地電位ＧＮＤに接続するための制御信号を生成するものである。
【００２３】
図２は、図１の動作の一例を示す信号波形図である。以下、この図２を参照しつつ、図１の動作を説明する。
【００２４】
外部から与えられた制御信号ＣＮと共に与えられた映像信号ＶＤは、入力部３０に入力された後、制御部８０からの書き込み制御信号ＷＥに従って、フレームメモリ４０に１フレーム分の画像データとして格納される。
【００２５】
次に、タイミング制御部７０では、制御部８０から与えられるタイミング信号ＴＲによって、１ライン目のロウラインＲＬ１を駆動するための制御信号が生成される。これにより、ロウドライバ２０のスイッチ２１１がオンとなり、図２の期間Ｔ１に示すようにロウラインＲＬ１は接地電位ＧＮＤとなる。この時、他のスイッチ２１２〜２１ｍはすべてオフとなり、ロウラインＲＬ２，…はオープン状態となる。
【００２６】
一方、制御部８０からの読み出し制御信号ＲＥに従って、フレームメモリ４０に格納された１ライン目の１ライン分の画像データと、画素表示補正データ格納部５０に格納されている１ライン目の１ライン分の補正データが読み出され、タイミング生成部６０に与えられる。タイミング生成部６０では、１ライン分の各画素の画像データに対応する補正データが加算され、更にその加算結果に応じたパルス幅の制御信号が生成される。タイミング生成部６０で生成されたカラムライン毎の制御信号は、カラムドライバ１０の対応するスイッチ１２ｉに与えられ、各スイッチ１２ｉは、図２に示すように制御信号のパルス幅に応じた時間だけオンとなる。
【００２７】
これにより、カラムドライバ１０の各定電流源１１ｉからスイッチ１２ｉ、カラムラインＣＬｉ、発光素子ＥＬ1,j 、及び共通のロウラインＲＬ１を介して、接地電位ＧＮＤに一定電流が流れる。この時、各カラムラインＣＬｉと発光素子ＥＬ1,j の抵抗や静電容量に相違があるため、応答時間の相違等によって電流波形は、図２中の破線で示したように異なり、画素データの値が同一であっても、各発光素子ＥＬ1,j の輝度は均一とはならない。
【００２８】
その後、カラムドライバ１０の各スイッチ１２ｉは、制御信号として与えられたパルスの時間が経過した時点でオフとなる。この制御信号は、画像データを補正データで補正することによって、平均輝度よりも輝度の小さな発光素子には発光時間を延長させ、輝度の大きな発光素子には発光時間を短縮させることにより、平均輝度が得られるように補正されている（図中の斜線を施した部分が補正データ分となっている）。従って、ロウラインＲＬ１が駆動されている期間を通して見ると、画素データの値が同一であれば、ほぼ等しい平均輝度が得られる。
【００２９】
１ライン目の表示の後、放電期間ＤＴを挟んで、図２の期間Ｔ２，Ｔ３に示すように、制御部８０からの読み出し制御信号ＲＥと、タイミング信号ＴＣ，ＴＲによって、２ライン目以降の画像データが順次読み出されて表示される。
【００３０】
なお、画素表示補正データ格納部５０に格納する補正データは、適用する表示パネル１の特性に合わせて、均一な輝度特性が得られるように予め調整試験を行って設定しておく必要がある。
【００３１】
以上のように、この実施例１の表示パネル駆動回路は、表示パネル１の画素毎に輝度の相違を補正して均一な輝度が得られるように、画素の駆動時間を調整するための補正データを格納した画素表示補正データ格納部５０と、この補正データと画像データとから補正された制御信号を生成するタイミング生成部６０を有している。これにより、表示パネル１のカラムラインＣＬやロウラインＲＬの抵抗や静電容量の相違による輝度の不均一性が補正され、むらのない表示を行うことができるという利点がある。
【００３２】
なお、上記実施例１に限定されず、種々の変形が可能である。この変形例としては、例えば、次のようなものがある。
（ａ）  表示パネル１は、有機ＥＬパネルに限らず、液晶表示パネルやその他のマトリクス表示方式の平面表示パネルに適用することができる。
（ｂ）  画素表示補正データ格納部５０の補正データでは、駆動時間を補正して平均輝度を調整するようにしているが、カラムドライバ１０の駆動方式によっては、駆動電流や駆動電圧を調整するようにしても良い。その場合、タイミング生成部６０の構成は、制御信号に対応した構成、例えば、ディジタル・アナログ変換器等に変更する必要がある。
（ｃ）  補正データの値は、平均輝度の画素を基準としてプラスまたはマイナスの値を設定しているが、この方式に限定されない。例えば、輝度の一番大きな画素を基準にして、輝度の小さな画素にプラスの補正値を加算するようにしても良い。
【実施例２】
【００３３】
図２は、本発明の実施例２を示す表示パネル駆動回路の構成図であり、図１中の要素と共通の要素には共通の符号が付されている。
【００３４】
この表示パネル駆動回路は、図１中の画素表示補正データ格納部５０に代えてカラム表示補正データ格納部５１とロウ表示補正データ格納部５２を設けると共に、ロウドライバ２０に代えて機能の異なるロウドライバ２０Ａを設けたものである。
【００３５】
カラム表示補正データ格納部５１は、各カラムラインＣＬｉの抵抗や静電容量の相違による輝度の補正を行うための補正データを格納したものである。図１中の画素表示補正データ格納部５０は１フレームの画素毎の補正データを格納していたが、このカラム表示補正データ格納部５１はカラムラインＣＬの数だけの補正データを格納している。また、この補正データは、駆動するロウラインＲＬに関係なく、各カラムラインＣＬに固定して用いられるので、タイミング制御部６０に固定接続されている。
【００３６】
ロウドライバ２０Ａは、各ロウラインＲＬｊに対応して設けられた可変電圧源２２ｊと、制御信号に応じて各ロウラインＲＬｊと可変電圧源２２ｊの間をオン／オフするスイッチ２１ｊとで構成されている。また、ロウ表示補正データ格納部５２は、ロウドライバ２０Ａ内の各可変電圧源２２ｊに対する制御信号を格納したものである。その他の構成は、図１と同様である。
【００３７】
次に動作を説明する。なお、カラム表示補正データ格納部５１とロウ表示補正データ格納部５２の補正データは、適用する表示パネル１の特性に応じて、均一な輝度特性が得られるように予め調整試験を行って設定しておくことは、実施例１と同様である。
【００３８】
外部から与えられる制御信号ＣＮと共に与えられた映像信号ＶＤは、入力部３０に入力された後、制御部８０からの書き込み制御信号ＷＥに従って、フレームメモリ４０に１フレーム分の画像データとして格納される。
【００３９】
次に、制御部８０からの読み出し制御信号ＲＥに従って、フレームメモリ４０に格納された１ライン目の１ライン分の画像データが読み出され、タイミング生成部６０に与えられる。タイミング生成部６０では、１ライン分の各画素の画像データが、カラム表示補正データ格納部５１から与えられる補正データと加算され、この加算結果に応じたパルス幅の制御信号が生成される。タイミング生成部６０で生成された画素毎の制御信号は、カラムドライバ１０の対応するスイッチ１２ｉに与えられ、各スイッチ１２ｉは制御信号のパルス幅に応じた時間だけオンとなる。
【００４０】
一方、タイミング制御部７０では、制御部８０から与えられるタイミング信号ＴＲによって、１ライン目のロウラインＲＬ１を駆動するための制御信号が生成される。これにより、ロウドライバ２０のスイッチ２１１がオンとなり、ロウラインＲＬ１は可変電圧源２２１に接続される。この時、他のスイッチ２１２〜２１ｍはすべてオフとなる。
【００４１】
これにより、カラムドライバ１０の各定電流源１１ｉからスイッチ１２ｉ、カラムラインＣＬｉ、発光素子ＥＬ1,j 、及び共通のロウラインＲＬ１を介して、可変電圧源２２１に電流が流れる。この時、各カラムラインＣＬｉと発光素子ＥＬ1,j の抵抗や静電容量に相違があるため、画素データの値が同一であっても、各発光素子ＥＬ1,j の輝度は均一ではない。
【００４２】
その後、カラムドライバ１０の各スイッチ１２ｉは、制御信号として与えられたパルスの時間が経過した時点でオフとなる。この制御信号は、画像データを補正データで補正することによって、平均輝度よりも輝度の小さな発光素子には発光時間を延長させ、輝度の大きな発光素子には発光時間を短縮させることにより、平均輝度が得られるように補正されている。従って、画素データの値が同一であれば、ほぼ等しい平均輝度が得られる。
【００４３】
次にフレームメモリ４０から２ライン目の画像データが読み出され、同様にして、２ライン目のロウラインＲＬ２に接続された発光素子ＥＬ2,j が駆動される。この時、１ライン目のロウラインＲＬ１と２ライン目のロウラインＲＬ２の抵抗や静電容量の相違は、これらのロウラインＲＬ１，ＲＬ２に接続される可変電圧源２２１，２２２の電圧によって補正され、画素データの値が同一であれば、ほぼ等しい平均輝度が得られる。
【００４４】
以上のように、この実施例２の表示パネル駆動回路は、表示パネル１のカラムラインＣＬｉ毎に輝度の相違を補正して均一な輝度が得られるように、画素の駆動時間を調整するための補正データを格納したカラム表示補正データ格納部５１と、この補正データと画像データとから補正された制御信号を生成するタイミング生成部６０を有している。
【００４５】
更に、表示パネル１のロウラインＲＬｊ毎の抵抗や静電容量の相違を補正するためのロウ表示補正データ格納部５２と、このロウ表示補正データ格納部５２の補正データに従って各ロウラインＲＬｊの電位を制御するための可変電圧源２２ｊを有している。これにより、ロウラインＲＬｊとカラムラインＣＬｉの数だけ補正データを準備することで、実施例１のように全画素に対応した補正データを準備する必要がなく、実施例１と同様の利点が得られる。
【００４６】
なお、上記実施例２に限定されず、種々の変形が可能である。この変形例としては、例えば、次のようなものがある。
（ａ）  カラムドライバ１０とロウドライバ２０Ａはそれぞれ駆動信号を制御するように構成しているが、カラムラインＣＬまたはロウラインＲＬの相違がほとんど無い場合は、相違のない方のドライバでは駆動信号の補正を行わないようにしても良い。
（ｂ）  カラム表示補正データ格納部５１の補正データは、カラムラインＣＬの駆動時間を補正するものであるが、駆動電流や駆動電圧を補正するものでも良い。また、ロウ表示補正データ格納部５２の補正データは、ロウラインＲＬの電圧を制御するものであるが、ロウラインＲＬの駆動時間を制御するものでも良い。その場合、カラムドライバ１０やロウドライバ２０Ａの駆動方式は補正データに合わせる必要がある。
【図面の簡単な説明】
【００４７】
【図１】本発明の実施例１を示す表示パネル駆動回路の構成図である。
【図２】図１の動作の一例を示す信号波形図である。
【図３】本発明の実施例２を示す表示パネル駆動回路の構成図である。
【符号の説明】
【００４８】
１    表示パネル
１０    カラムドライバ
２０，２０Ａ    ロウドライバ
３０    入力部
４０    フレームメモリ
５０    画素表示補正データ格納部
５１    カラム表示補正データ格納部
５２    ロウ表示補正データ格納部
６０，７０    タイミング生成部
８０    制御部
ＣＬｉ    カラムライン
ＥＬi,j   発光素子
ＲＬｊ    ロウライン
【図１】
2006047510.tif 000003
【図２】
2006047510.tif 000004
【図３】
2006047510.tif 000005